(57)【要約】【課題】複数の小室に使用直前まで各内容物を隔離した状態で保存することが可能であり、且つ、一度の作業で各小室を開口させると共に、各小室に充填された内容物を同時に排出させることが可能な多室袋体であって、製造が容易であり、且つ、内容物を無駄なく排出させることが容易な多室袋体を提供する。【解決手段】可撓性フィルムで形成された袋体であって、袋体を形成する可撓性フィルムの対向しあう内面同士をシールしてなる境界シール部によって袋体の内部が複数の小室に区画されており、前記境界シール部は、当該境界シール部によって隔てられた少なくとも２つの小室の間をつなぐように、可撓性フィルムの内面同士を剥離可能にシールしてなる弱シール部を含み、前記弱シール部の領域内に、可撓性フィルムの片方又は両方を貫通する切断部が設けられていることを特徴とする袋体。【選択図】図１
2011011812.tif 000002
【特許請求の範囲】
【請求項１】
可撓性フィルムで形成された袋体であって、
袋体を形成する可撓性フィルムの対向しあう内面同士をシールしてなる境界シール部によって袋体の内部が複数の小室に区画されており、
前記境界シール部は、当該境界シール部によって隔てられた少なくとも２つの小室の間をつなぐように、可撓性フィルムの内面同士を剥離可能にシールしてなる弱シール部を含み、
前記弱シール部の領域内に、可撓性フィルムの片方又は両方を貫通する切断部が設けられている
ことを特徴とする袋体。
【請求項２】
前記切断部は、前記境界シール部を境界として並設された複数の小室の並設方向に対して略垂直な直線状に設けられた切込みである、請求項１に記載の袋体。
【請求項３】
前記切断部は、前記袋体を前記境界シール部において折り曲げた際に、折り曲げの端部に位置する、請求項１又は２に記載の袋体。
【請求項４】
請求項１乃至３のいずれかに記載の袋体の各小室に内容物を充填した内容物充填体。
【発明の詳細な説明】
【技術分野】
【０００１】
本発明は、複数の小室を有する袋体及び該袋体に内容物を充填した内容物充填体に関する。
【背景技術】
【０００２】
従来から、予め、異なる種類の内容物を１つの袋内で配合させておくと、経時的に内容物の状態に変化が生じてしまうような内容物については、使用直前まで各内容物を隔離した状態で保存することが好ましく、このような内容物の充填に適する袋として、複数の小室（多室）を備えた袋体が提案されてきた。
【０００３】
例えば、特許文献１には、周囲が密封されるとともに、容器壁間を剥離不能に接続した区画部により複数の収容室が液密に区画された複室容器において、容器壁が可撓性を有する合成樹脂からなり、前記容器壁の外面同士を対向させて折り曲げ可能な折り曲げ部が、容器中間部分に前記区画部の少なくとも一部に沿う方向に設けられ、前記折り曲げ部で折り曲げた状態で前記複数の収容室の同じ端部側となる位置にそれぞれ排出孔が設けられたことを特徴とする可撓性複室容器が開示されている。
特許文献１の容器において、各収容室は、剥離不能な区画部により収容室間の液密状態が保持されていると共に、収容された収容物を排出するための排出孔がそれぞれ独立して設けられており、収容室の間に設けられた折り曲げ部で折り曲げた状態で容器壁を押圧することによって、各排出孔から各収容物をそれぞれ搾り出すことができる。しかし、特許文献１の容器は、各排出孔がそれぞれ独立して設けられているため、各排出孔から排出された内容物がそれぞれ異なる位置に排出されてしまう可能性がある。
【先行技術文献】
【特許文献】
【０００４】
【特許文献１】特開２００２−２５５２５０号公報
【発明の概要】
【発明が解決しようとする課題】
【０００５】
本発明の目的は、複数の小室に使用直前まで各内容物を隔離した状態で保存することが可能であり、且つ、一度の作業で各小室を開口させると共に、各小室に充填された内容物を同時に同じ場所に排出させることが可能な袋体を提供することにある。また、本発明の他の目的は、製造が容易であり、且つ、内容物を無駄なく排出させることが容易な袋体を提供することにある。
【課題を解決するための手段】
【０００６】
本発明の袋体は、可撓性フィルムで形成された袋体であって、
袋体を形成する可撓性フィルムの対向しあう内面同士をシールしてなる境界シール部によって袋体の内部が複数の小室に区画されており、
前記境界シール部は、当該境界シール部によって隔てられた少なくとも２つの小室の間をつなぐように、可撓性フィルムの内面同士を剥離可能にシールしてなる弱シール部を含み、
前記弱シール部の領域内に、可撓性フィルムの片方又は両方を貫通する切断部が設けられていることを特徴とするものである。
【０００７】
本発明の袋体は、可撓性フィルムにより形成されているため、複数の小室を区画する境界シール部において、前記弱シール部、特に前記弱シール部領域内の前記切断部が折り曲げの端部に位置するように折り曲げた状態で、折り重ねられた複数の小室を外部から押圧することにより、まず、該弱シール部を剥離させ、各小室から前記切断部へとつながる導出路を形成することができる。その結果、該切断部は、各小室に充填された内容物を袋体の外部へと排出させる排出口として機能することになる。そして、上記折り重ねられた複数の小室の押圧により、各小室に充填された内容物を、切断部から押し出し、同時に排出することができる。
【０００８】
以上のように、本発明によれば、袋体を外側から押圧することによって、互いに独立した複数の小室を開封すると共に、各小室内にそれぞれ隔離した状態で収容されている内容物を、同時に排出することができる。
また、本発明の袋体は、内容物の排出口となる切断部の構造が非常に単純であるため、製造が容易であり、さらには、内容物を無駄なく排出させることが容易である。
また、本発明の袋体において、切断部は前記弱シール部の剥離により排出口として機能し、該切断部は、該弱シール部によって隔てられた複数の小室間で共通の排出口であるため、該切断部から複数の小室内に充填されている内容物が同時に同じ場所に排出される。従って、本発明の袋体では、排出口である切断部から、充填された異なる種類の内容物が同時に同じ場所に排出されるというメリットがある。すなわち、本発明の袋体は、同時に且つ同じ場所に排出させたい、異なる種類の内容物を充填する袋体として適している
【０００９】
前記切断部の具体的な形態としては、例えば、前記境界シール部を境界として並設された複数の小室の並設方向に対して略垂直な直線状に設けられた切込みが挙げられる。
また、前記切断部は、前記袋体を前記境界シール部において折り曲げた際に、折り曲げの端部に位置することが好ましい。
【００１０】
本発明の内容物充填体は、上記した本発明の袋体の各小室にそれぞれ内容物を充填したものである。
【発明の効果】
【００１１】
本発明によれば、複数の小室に使用直前まで各内容物を隔離した状態で保存することができる袋体において、一度の作業で各小室を開口させると共に、各小室に充填された内容物を同時に同じ場所に排出させることが可能である。また、本発明の袋体は、製造が容易であり、且つ、内容物を無駄なく排出させることが容易である。
【図面の簡単な説明】
【００１２】
【図１】本発明の袋体の第１の形態例を示す平面図（１Ａ）及び断面図（１Ｂ）である。
【図２】図１の袋体を折り曲げた際の側面図である。
【図３】本発明の袋体の第２の形態例を示す平面図である。
【図４】本発明の袋体の第３の形態例を示す平面図である。
【図５】本発明の袋体の第４の形態例を示す平面図である。
【図６】本発明の袋体の第５の形態例を示す平面図である。
【発明を実施するための形態】
【００１３】
本発明の袋体は、可撓性フィルムで形成された袋体であって、
袋体を形成する可撓性フィルムの対向しあう内面同士をシールしてなる境界シール部によって袋体の内部が複数の小室に区画されており、
前記境界シール部は、当該境界シール部によって隔てられた少なくとも２つの小室の間をつなぐように、可撓性フィルムの内面同士を剥離可能にシールしてなる弱シール部を含み、
前記弱シール部の領域内に、可撓性フィルムの片方又は両方を貫通する切断部が設けられていることを特徴とするものである。
【００１４】
以下、本発明について、図１〜図６を参照しながら説明する。
尚、図１の（１Ａ）、図３〜図６において、ハッチング箇所は、各構成部材のシール部（封止部４、境界シール部２、弱シール部２ａ）を示している。
【００１５】
図１は、本発明の袋体の一形態例を示すものであり、袋体１００の平面図（１Ａ）及び（１Ａ）のＡ−Ａ線における断面図（１Ｂ）である。図２は、図１の袋体１００を境界シール部２で折り曲げ、小室１Ｘと１Ｙとを折り重ねた状態の側面図である。
【００１６】
図１に示すように、袋体１００は、対向する可撓性フィルム３，３の端縁部を重ね合わせ、その内面同士をシールした封止部４により、封止され、製袋される。袋体１００の内部は、袋体１００を構成する可撓性フィルム３，３の対向しあう内面同士をシールした境界シール部２によって、複数の小室１Ｘ，１Ｙに区画されている。各小室１Ｘ，１Ｙは、互いに独立した空間であり、それぞれが内容物を密封することができる。
【００１７】
小室１Ｘと１Ｙとを隔てる境界シール部２は、その全領域が、可撓性フィルム３，３の内面同士を剥離可能にシールした弱シール部２ａからなる。弱シール部２ａは、可撓性フィルムからなる袋体１００を手指等により外側から押圧することにより、各小室１Ｘ，１Ｙの内圧を上昇させた際に、対向する可撓性フィルム３，３の剥離が生じるようなシール強度を有している。また、弱シール部２ａには、可撓性フィルム３，３の両方を貫通する切断部（切込み）５が設けられている。
【００１８】
上記のような構造を有する袋体１００は、各小室１Ｘ，１Ｙにそれぞれ異なる種類の内容物を充填し、図２に示すように、境界シール部２で折り曲げて小室１Ｘと小室１Ｙとを折り重ねた状態で、これら小室１Ｘ及び小室１Ｙを手指等により外側から押圧すると、弱シール部２ａの剥離が生じる。押圧は、典型的には、境界シール部２において折り曲げ、小室１Ｘと小室１Ｙとを折り重ねた状態の袋体１００を、掌で握り持つことで行うことができる。
弱シール部２ａが剥離することによって、各小室１Ｘ，１Ｙと、弱シール部２ａに設けられた切断部５とが、それぞれ連通する。その結果、切断部５が、各小室１Ｘ，１Ｙの内部と袋体１００の外部とを連通する、小室１Ｘ及び小室１Ｙの共通の排出口として機能するようになる。
従って、弱シール部２ａを剥離させた後、折り重ねられた小室１Ｘと小室１Ｙとを外側から押圧すれば、各小室１Ｘ，１Ｙに充填された各内容物を、切断部５から同時に押し出し、同じ場所に排出させることができる。このとき、切断部５が、境界シール部２における袋体１００の折り曲げの先端部に位置するように、袋体１００を折り曲げることが好ましい（図２参照）。このように折り曲げることによって、袋体の折り曲げの先端から内容物が押し出されることになり、円滑に内容物を排出させることができるからである。また、切断部より排出される複数の内容物が、さらに該切断部から同じ場所に排出されやすいというメリットもある。
【００１９】
以上のように、本発明の袋体は、複数の小室を折り重ねた状態で外側から押圧する押圧作業により、各小室の内部と袋体の外部とを連通する排出口を形成して開封すると共に、各小室内にそれぞれ隔離した状態で収容されている内容物を、同時に押し出し、排出させることができる。典型的には、使用者は、片手で、袋体の開封作業及び内容物の排出作業を行うことができる。
また、弱シール部の剥離により排出口として機能するようになる切断部は、該弱シール部によって隔てられた複数の小室間に共通の排出口であり、複数の小室内に充填されている内容物が１つの切断部から排出される。従って、本発明の袋体は、充填された異なる種類の内容物が、切断部から同時に同じ場所に排出されるメリットがある。
さらに、本発明の袋体は、内容物の排出口となる切断部の構造が非常に単純であるため、製造が容易であり、且つ、内容物を無駄なく排出させることが容易である。
【００２０】
以下、本発明の袋体の構造についてさらに詳しく説明していく。
本発明において、袋体は、図１、図２に示すような三方袋に限定されない。図１、図２に示す袋体は、１枚の可撓性フィルムを折り曲げ、重ね合わされた３辺の端縁部をシールし封止した三方袋であるが、例えば、２枚の可撓性フィルムを重ねあわせ、重ね合わされた４辺の端縁部をシールし封止した四方袋でもよい。また、三方袋や四方袋等の平袋に限らず、例えば、ガゼット構造を有する袋体でもよい。
また、本発明の袋体は、各小室を封止している封止部に、各小室に収容されている内容物を個々に排出するための開封口となる切込み部や粗面部が、別途設けられてもよい。
また、図１及び図２の形態においては、掌による握り持ちにより袋体を押圧し、内容物を押し出すことが可能な旨を説明したが、本発明の袋体の大きさに特に限定はない。但し、本発明の袋体は、典型的には、手指による押圧により上記のような内容物の排出が可能な袋体であることが好ましい。
【００２１】
本発明の袋体は、可撓性フィルムから形成されているため、上記したような境界シール部における折り曲げ、また、袋体の外側からの押圧による袋体の開封及び内容物の押し出しが可能である。
袋体を形成する可撓性フィルムは、一般に袋の製造に用いられる可撓性フィルムであれば、特に限定されず、例えば、単層フィルムであってもよく、最外層としての基材層、中間層、及び最内層としての内面層など、複数の層からなる積層フィルムであってもよい。
【００２２】
基材層は、袋体の最外層を形成し、印刷適性、耐ピンホール性、及び耐衝撃性等の機能を有する層であることが好ましい。基材層の材質としては、例えば、ポリエチレンテレフタレート、ポリプロピレン、ポリアミド、及びエチレンビニルアルコール共重合体等の一軸又は二軸延伸フィルム、並びに、これらの延伸フィルムを積層したもの等が挙げられる。
【００２３】
これらの延伸フィルム又は積層フィルムに、袋の用途として、酸素バリア性、及び水蒸気バリア性が要求される場合、基材層の材質としては、例えば、アルミニウム等の金属、並びに、酸化アルミニウム、及び酸化ケイ素等の無機酸化物を蒸着させた蒸着フィルム；ポリ塩化ビニリデン、及びポリアクリル酸系樹脂等をコーティング（バリアコート）させたコートフィルム；等を用いることもできる。また、紙やセロファン等も用いることができる。
【００２４】
中間層は、酸素バリア性、水蒸気バリア性、及び引き裂き性等の機能を有する層であることが好ましい。中間層の材質としては、袋の用途として、酸素バリア性、及び水蒸気バリア性が要求される場合には、例えば、アルミニウム箔などの金属箔；アルミニウム等の金属、並びに、酸化アルミニウム、及び酸化ケイ素等の無機酸化物を蒸着させたフィルム；ポリ塩化ビニリデン、及びポリアクリル酸系樹脂等をコーティング（バリアコート）させたフィルム；等が挙げられる。
【００２５】
内面層は、袋の最内層を形成し、ヒートシールが可能な層であることが好ましい。内面層の材質としては、例えば、低密度ポリエチレン、高密度ポリエチレン、直鎖状低密度ポリエチレン、ポリプロピレン、エチレン酢酸ビニルコポリマー、及びアイオノマー樹脂等からなる未延伸フィルム、又はこれらの樹脂を層状に押し出したものが挙げられる。
【００２６】
これらの層を積層して積層フィルムを形成する方法は、一般に積層フィルムの形成に用いられる積層方法であれば、特に限定されず、例えば、接着剤を用いてドライラミネート法により積層フィルムを形成する方法であってもよく、熱接着樹脂を用いて押し出しラミネート法により積層フィルムを形成する方法であってもよい。また、その他のラミネート法により積層フィルムを形成する方法であってもよい。
【００２７】
封止部において、重ね合わせられた可撓性フィルムの相対する面同士をシールする方法は特に限定されないが、例えば、接着剤を用いて可撓性フィルムの相対する面同士をシールする方法や、可撓性フィルムの相対する面同士を同質材料としヒートシールによりシールする方法等が挙げられる。
封止部のシール強度は、袋体の内部の密封性を確保することができ、且つ、弱シール部のシール強度よりも強く袋体の開封時に付加される押圧によって剥離しない強度であることが要求される。封止部の具体的なシール強度は特に限定されないが、通常、５．０Ｎ／１５ｍｍ以上であることが好ましく、１０Ｎ／１５ｍｍ以上であることがより好ましい。
【００２８】
ここで、「Ｎ／１５ｍｍ」とは、１５ｍｍ幅の弱シール部を常温でＴ形剥離させるのに必要な強度を意味する。シール強度は、ＪＩＳ  Ｚ  ０２３８：１９９８に準じて測定することができる。
【００２９】
封止部により形成された袋体の内部は、可撓性フィルムの対向しあう内面同士をシールした境界シール部によって、複数の小室に区画される。
袋体の内部に形成される小室は少なくとも２つ以上であれば、図１、図２のように、２つであってもよいし、３つ以上（図６参照）であってもよい。
本発明の袋体において、小室の大きさ、配置形態等も特に限定されない。例えば、図１においては、袋体１００に形成された２つの小室１Ｘ，１Ｙは、袋体の中央部に設けられた境界シール部２により区切られており、ほぼ同じ容量を有しているが、境界シール部の設置位置等の調節により、容量の異なる小室を形成してもよい。また、境界シール部は、図１のように、袋体の長手方向と略垂直に設けられていなくてもよい。
【００３０】
境界シール部は、該境界シール部によって隔てられた少なくとも２つの小室の間をつなぐように、可撓性フィルムの内面同士を剥離可能にシールしてなる弱シール部を含む。ここで、「少なくとも２つの小室の間をつなぐように、可撓性フィルムの内面同士を剥離可能にシールしてなる」とは、弱シール部の可撓性フィルムが剥離した際に、該２つ以上の小室同士が連通するように、該弱シール部が設けられていることを指す。すなわち、弱シール部は、少なくとも２つの小室間にある境界シール部を横断するように連続して設けられる。
弱シール部は、境界シール部によって隔てられた少なくとも２つの小室の間をつなぐように設けられれば、図３の袋体１０１のように、境界シール部２の一部のみを弱シール部２ａとしてもよいし、図１のように、境界シール部２の全領域を弱シール部２ａとしてもよい。
【００３１】
弱シール部には、内容物が充填された袋体を外側から手指等で押圧したときは、可撓性フィルムが容易に剥離し、且つ、保存時は、各小室間の密封性を確保できるシール強度が要求される。弱シール部の具体的なシール強度は特に限定されないが、１．０〜１０Ｎ／１５ｍｍ程度であることが好ましく、１．０〜５．０Ｎ／１５ｍｍ程度であることがより好ましい。
【００３２】
弱シール部の形成方法は、特に限定されないが、例えば、イージーピールテープを介して可撓性フィルムの対向する内面同士をシールする方法；対向し合う可撓性フィルムの最表面層、すなわち内面層の材質を、ヒートシール性の同質材料とし、ヒートシールの温度、圧力、及び時間を適宜調節して、ヒートシールにより該可撓性フィルムの対向する内面同士をシールする方法；等が代表的に挙げられる。
ここで「ヒートシール性の同質材料」とは、加熱により熱融着し、シールが可能な特性を有する材質のことをいう。
【００３３】
弱シール部の幅は、袋のサイズや、充填する内容物の量及び種類に応じて任意に選択することができるが、３．０〜３０ｍｍ程度であることが好ましく、５．０〜２０ｍｍ程度であることがより好ましい。ここで弱シール部の幅とは、弱シール部により隔てられる小室間の距離を指す。例えば、図１における弱シール部２ａの幅はＷである。また、弱シール部の形状は、小室内部からの圧力が集中し、弱シール部の剥離を促進するような応力集中部を有する形状であってもよい。
尚、図３の袋体１０１のように、境界シール部２の一部のみを弱シール部２ａとする場合、弱シール部２ａ以外の境界シール部２ｂのシール強度は、保存時の各小室間の密封性を確保することができれば、特に限定されない。通常は、封止部と同様のシール強度とすることができる。また、境界シール部の形成方法は、特に限定されず、封止部と同様の方法を採用することができる。
【００３４】
切断部は、袋体の密封性を確保できる範囲内において、少なくとも弱シール部の領域内で、片方又は両方の可撓性フィルムを貫通していれば、該弱シール部の剥離により、各小室内に充填された内容物の排出口として機能するようになる。
【００３５】
切断部の具体的な構造は特に限定されず、例えば、図１の袋体１００のような切込み５の他、図４の袋体１０２のような孔５でもよい。
切込みとしては、図１の袋体１００のように、境界シール部２を境界として並設された複数の小室の並設方向に対して略垂直な直線状の切込みの他、図５の袋体１０３のような、境界シール部２を境界として並設された複数の小室の並設方向に対して略平行な直線状の切込みであってもよい。
【００３６】
内容物が排出し易いことから、図１に示すように、境界シール部２を境界として並設された複数の小室の並設方向に対して略垂直な直線状の切込みが好ましい。このような切込みは、袋体の境界シール部における折り曲げ方向と略平行に延びているため、袋体１００を境界シール部２において折り曲げる際に、切断部５が折り曲げの先端部に位置するように、袋体１００の折り曲げを誘導することができるからである。
同様の観点から、切断部として孔を設ける場合には、短径と長径を有する孔を、長径が境界シール部を境界として並設された複数の小室の並設方向に対して略垂直となるように、すなわち、袋体の境界シール部における折り曲げ方向と略平行になるように設けることが好ましい。
尚、本発明において、略平行とは、完全に平行な状態の他、±１０度程度の角度範囲で平行からずれている状態も含む。また、略垂直とは、完全に垂直な状態の他、±１０度程度の角度範囲で垂直からずれている状態も含む。
【００３７】
切断部は、図１に示す袋体１００のように、弱シール部を構成する両方の可撓性フィルムを貫通しなくても、少なくとも片方の可撓性フィルムを貫通していれば、弱シール部が剥離することにより該切断部を介して各小室と袋体の外部とが連通し、該切断部が排出口として機能するようになる。切断部が片方の可撓性フィルムのみを貫通している場合、袋体を境界シール部で折り曲げる際に、切断部が設けられた可撓性フィルムが外側になるように、袋体を境界シール部で折り曲げることで、内容物の排出性を確保することができる。
【００３８】
ここで、３つの小室１Ｘ，１Ｙ，１Ｚを有する袋体１０４について、図６を参照しながら説明する。
袋体１０４において、境界シール部２は、小室１Ｙと小室１Ｚとを区切る境界シール部２ｂと、小室１Ｘと小室１Ｙ及び小室１Ｚとを区切る弱シール部２ａである境界シール部とからなる。境界シール部２のうち、小室１Ｘと小室１Ｙ及び小室１Ｚとを区切る弱シール部２ａには、切断部５が設けられている。切断部５は、弱シール部２ａにおいて、小室１Ｘと小室１Ｙが対向する領域から、小室１Ｘと小室１Ｚが対向する領域にわたって、設けられている。
従って、図３と同様、境界シール部である弱シール部２ａにおいて袋体１０４を折り曲げた状態で、袋体１０４の外側から押圧し、弱シール部２ａを剥離させることによって、切断部５を経て、各小室１Ｘ，１Ｙ，１Ｚの内部と袋体の外部とを連通させることができる。すなわち、３つの小室１Ｘ〜１Ｚを同時に開封し、各小室に充填された内容物を切断部５から同時に押し出すことができる。
【００３９】
本発明の袋体は、同時に使用することが多いが、予め、１つの袋内で配合させておくと、経時的にその状態に変化が生じてしまうような異なる種類の内容物、或いは、品質の低下が生じてしまうような異なる種類の内容物の包装に適している。
【００４０】
本発明の袋体に充填させる内容物の組み合わせとしては、例えば、医療用薬液とその溶解液、ケチャップとマスタード、ガムシロップとミルク、はちみつとマーガリン等の流動性物質同士の組み合わせ等が代表的に挙げられる。
【００４１】
本発明の袋体に内容物を充填した内容物充填体は、異なる種類の内容物を各小室にそれぞれ充填することによって、各内容物を混合させることなく、互いに隔離した状態で袋体に封入させることができる。従って、本発明の内容物充填体は、上記にて例示したような、予め１つの袋内で配合させておくと、経時的にその状態に変化が生じてしまうような異なる種類の内容物、或いは、品質の低下が生じてしまうような異なる種類の内容物であっても、状態の変化や品質低下を生じさせることなく、保存することができる。
【符号の説明】
【００４２】
１Ｘ  …小室
１Ｙ  …小室
１Ｚ  …小室
２    …境界シール部
２ａ  …弱シール部
２ｂ  …弱シール部以外の境界シール部
３    …可撓性フィルム
４    …封止部
５    …切断部
１００…袋体
１０１…袋体
１０２…袋体
１０３…袋体
１０４…袋体
【図１】
2011011812.tif 000003
【図２】
2011011812.tif 000004
【図３】
2011011812.tif 000005
【図４】
2011011812.tif 000006
【図５】
2011011812.tif 000007
【図６】
2011011812.tif 000008